(57)【要約】【課題】第一位置や第二位置での部品ばらつきなどに対処するためのイメージセンサの光軸方向の位置調整が比較的容易になる読取装置を提供する。【解決手段】ガラス４１，４２Ａが設けられた互いに異なる第一位置と第二位置との間で移動し両位置で選択的に読取動作を行うイメージセンサ４７を備えた読取装置において、前記イメージセンサに、前記第一位置で前記ガラスに当接する当接部１００を設ける。また、前記第二位置で前記ガラスに対する位置決めを行うための前記当接部１００とは異なる位置決め部１１０を設ける。これとともに、前記第二位置に前記位置決め部１１０が当接する位置決め部材１２０を設ける。前記第一位置では、前記イメージセンサ４７が直線に沿って移動しながら読取を行う。前記第一位置から第二位置との間の移動は、前記直線とは角度を持った方向の移動である。【選択図】図４
2019161381.tif 000002
【特許請求の範囲】
【請求項１】
ガラスが設けられた互いに異なる第一位置と第二位置との間で移動し両位置で選択的に読取動作を行うイメージセンサを備えた読取装置において、
前記イメージセンサに、前記第一位置で前記ガラスに当接する当接部を設けるとともに、前記第二位置で前記ガラスに対する位置決めを行うための前記当接部とは異なる位置決め部を設け、前記第二位置に前記位置決め部が当接する位置決め部材を設けたことを特徴とする読取装置。
【請求項２】
請求項１の読取装置において、
前記第一位置では、前記イメージセンサが直線に沿って移動しながら読取を行い、
前記第一位置から第二位置との間の移動は、前記直線とは角度を持った方向の移動であることを特徴とする読取装置。
【請求項３】
請求項２の読取装置において、
前記第一位置と前記第二位置との間で移動中に、前記当接部と前記ガラスとが当接した第一当接状態と、前記位置決め部と前記位置決め部材とが当接する第二当接状態とが切り替わり、かつ、この切り替わりが、前記直線に沿った移動中に起こることを特徴とする読取装置。
【請求項４】
請求項１乃至３の何れか一に記載の読取装置において、
前記第二位置には原稿を載置するガラスを有し、前記第二位置で前記イメージセンサの光軸が前記ガラスの面に垂直になることを特徴とする読取装置。
【請求項５】
請求項１乃至４の何れか一に記載の読取装置において、
前記当接部および前記位置決め部をそれぞれ４箇所以上設けることを特徴とする読取装置。
【請求項６】
請求項１乃至５の何れか一に記載の読取装置において、
前記位置決め部材の第二位置における光軸方向の位置を装置外部から調整可能に構成したことを特徴とする読取装置。
【請求項７】
読取装置を備えた画像形成装置において、
前記読取装置として、請求項１乃至６の何れか一に記載の読取装置を用いた画像形成装置。
【発明の詳細な説明】
【技術分野】
【０００１】
本発明は、読取装置及び画像形成装置に関するものである。
【背景技術】
【０００２】
従来、ガラスが設けられた互いに異なる第一位置と第二位置との間で移動し両位置の何れかで読取動作を行うイメージセンサを備えた読取装置が知られている。
【０００３】
例えば、特許文献１には、上面を原稿が通過する、流し読みのための第１ガラス及び上面に原稿が載置される、固定読みのための第２ガラスと、第一位置である第１ガラスの下方と、第二位置である第２ガラスの下方との間で移動し両位置の何れかで読取動作を行うイメージセンサとを備えた読取装置が記載されている。この読取装置は、前記第１ガラスの下方に停止して、あるいは前記第２ガラスの下方を移動して原稿を読み取る。そして、前記イメージセンサには、次のようなスペーサが設けられている。前記イメージセンサと共に付勢手段によって付勢されて前記第１ガラス及び第２ガラスに接触し、前記イメージセンサと前記第１ガラス及び第２ガラスとの間に隙間を生じさせた状態で、前記イメージセンサとともに前記第１ガラス及び第２ガラスの下面を移動可能なスペーサである。
【発明の概要】
【発明が解決しようとする課題】
【０００４】
しかし、従来の構成では第一位置や第二位置での部品ばらつきなどに対処するためのイメージセンサの光軸方向の位置調整（焦点調整）がしづらいという課題が残されていた。
【課題を解決するための手段】
【０００５】
上述した課題を解決するために、本発明は、ガラスが設けられた互いに異なる第一位置と第二位置との間で移動し両位置で選択的に読取動作を行うイメージセンサを備えた読取装置において、前記イメージセンサに、前記第一位置で前記ガラスに当接する当接部を設けるとともに、前記第二位置で前記ガラスに対する位置決めを行うための前記当接部とは異なる位置決め部を設け、前記第二位置に前記位置決め部が当接する位置決め部材を設けたことを特徴とする。
【発明の効果】
【０００６】
本発明によれば、第一位置や第二位置での部品ばらつきなどに対処するためのイメージセンサの光軸方向の位置調整が比較的容易になるという優れた効果を奏する。
【図面の簡単な説明】
【０００７】
【図１】実施形態１に係る複写機を示す斜視図である。
【図２】同複写機における読取装置の構成を示す説明図である。
【図３】従来技術にかかる読取装置の説明図。
【図４】同複写機における読取装置の主要部の説明図。
【図５】同主要部の分解斜視図。
【図６】変形例にかかる読取装置の説明図。
【発明を実施するための形態】
【０００８】
〔実施形態１〕
本発明の一実施形態（以下、本実施形態を「実施形態１」という。）について説明する。
図１は、本実施形態１に係る画像形成装置である複写機１を示す斜視図である。
本実施形態１の複写機１は、主に、画像形成部３と、画像読取部４と、自動原稿搬送装置（以下、単に「ＡＤＦ」とも称する。）５とから構成されている。本実施形態１の読取装置６は、主に、画像読取部４とＡＤＦ５とから構成されている。
【０００９】
本実施形態１の画像形成部３は、例えば、潜像形成手段としての露光ユニットと、複数の潜像担持体としての感光体ドラムと、シアン（Ｃ）、マゼンタ（Ｍ）、イエロー（Ｙ）、ブラック（Ｋ）の４色のトナーを用いる現像装置と、中間転写部と、二次転写部と、定着部などを備えた電子写真方式の画像形成装置である。インクジェット方式などの他の方式の画像形成装置であってもよい。
【００１０】
画像形成部３は、読取装置６の画像読み取りによって得られる画像データや、パソコン等の外部装置から送信される画像データに基づき、例えば、露光ユニットによって各色の感光体ドラムを露光して各感光体ドラム上に静電潜像を形成し、各色の現像装置で各感光体ドラム上の潜像にトナーを供給して現像する。また、画像形成部３は、各色の感光体ドラム上のトナー像を中間転写部の中間転写ベルトに互いが重なるように一次転写した後、二次転写部で記録材である記録紙上に二次転写し、定着部で記録紙上のトナー像を加熱及び加圧して定着させ、カラー画像を形成する。
【００１１】
図２は、本実施形態１の読取装置６の構成を示す説明図である。
読取装置６は、搬送中の原稿（原稿）の画像を読み取る搬送原稿読取モード（以下、ＤＦスキャナモードという。）と、平坦なコンタクトガラス上に載置された原稿の原稿面の画像を読み取る載置原稿読取モード（以下、フラットベッドスキャナモードという。）とで、選択的に動作可能に構成されている。
【００１２】
フラットベッドスキャナモードで、画像読取部４は、フラットベッドコンタクトガラス４１上の原稿（原稿シート、厚紙、本等）の原稿面（被読取面）に光を照射して、その原稿面からの反射光を画像信号に変換することにより原稿画像を読み取る。
【００１３】
また、ＤＦスキャナモードで、ＡＤＦ５は、セット部である原稿トレイ５１上に積載された原稿シート束から原稿シートを１枚ずつ分離して原稿搬送通路内に搬入し、この原稿搬送通路に沿って搬送する。この原稿搬送通路は、ピックアップローラ５２ａ、分離ローラ５２ｂ、プルアップローラ対５２ｃ、読取入口ローラ対５２ｄ、読取出口ローラ対５２ｅ、排紙ローラ対５２ｆなどで構成されている。そして、その搬送中、原稿シートの原稿面（原稿トレイ５１上で上側の面が片面原稿の場合の原稿面）が、その搬送方向の上流側部分から順次部分的に画像読取部４におけるＤＦコンタクトガラス４２Ａ，４２Ｂに対面する。読取装置６は、この対面してくる原稿シート上の画像を画像読取部４のＤＦコンタクトガラス４２Ａ，４２Ｂ上で順次読み取る。読取り後の原稿シートＳは、搬送ローラ対５２ｅ，５２ｆにより排紙トレイ５３に排出する。
【００１４】
ＡＤＦ５は、装置本体１Ｍの後部（背面側の部分）にヒンジ等の開閉機構を介して取り付けられている。そして、ＡＤＦ５は、装置本体１Ｍに対してフラットベッドコンタクトガラス４１上を開放する開位置と、フラットベッドコンタクトガラス４１上の原稿を押し付け可能な閉位置とを採り得るようになっている。
【００１５】
また、ＡＤＦ５は、少なくともその上方を開閉可能としたカバー５５によって覆われている。カバー５５は、原稿シートＳの先端がそのカバー内に入るように原稿トレイ５１の給紙側の端部付近の上方に給紙口５５ａを形成している。また、カバー５５は、給紙口５５ａよりも内部に原稿トレイ５１の先端部分が収納されるように、原稿トレイ５１の先端部分の上方を覆っている。また、ＡＤＦ５は、給紙口５５ａから排出口５６までの原稿搬送通路５２を形成する主要なガイド部分を、カバー５５等に形成されたリブ等によって形成している。
【００１６】
フラットベッドコンタクトガラス４１は、読取装置６がフラットベッドスキャナとして動作する場合であって原稿シートが載置されるとき、その原稿シートの下面（被読取面）に対面するようになっている。また、第一ＤＦコンタクトガラス４２Ａは、読取装置６がＤＦスキャナとして動作する場合には、原稿搬送通路５２の所定の読取位置を通過する原稿シートの下面（被読取面）に対面するようになっている。さらに、第一ＤＦコンタクトガラス４２Ａは、フラットベッドコンタクトガラス４１に対して予め設定された傾斜角をなすよう傾斜している。また、第二ＤＦコンタクトガラス４２Ｂは、読取装置６がＤＦスキャナとして動作する場合には、原稿搬送通路５２の所定の読取位置を通過する原稿シートの上面（被読取面）に対面するようになっている。
【００１７】
画像読取部４の内部には、読取手段としての第一読取ユニット４５と、図２中の左右方向に延びるガイドロッド４６とが設けられている。第一読取ユニット４５は、一体型光学走査ユニット４７と、一体型光学走査ユニット４７を保持するブラケット４８と、一体型光学走査ユニット４７とブラケット４８との間に圧縮状態で組み込まれた複数の圧縮コイルばね４９（弾性部材）とで構成されている。
【００１８】
一体型光学走査ユニット４７は、例えばモールドフレームに、等倍結像素子、ルーフミラーレンズアレイ、光路分離ミラー、等倍イメージセンサ、照明光源等を保持させた密着イメージセンサとして構成されている（密着等倍光学系）。この一体型光学走査ユニット４７は、画像を主走査方向に高解像でライン走査することができ、ブック原稿等の画像読取りにも対応可能な大きな焦点深度を有するように構成されている。なお、一体型光学走査ユニット４７は、ＤＦスキャナとフラットベッドスキャナに対応できる構成であれば、特定の方式に限定されるものではない。主走査方向は、フラットベッドコンタクトガラス４１の上面及び第一ＤＦコンタクトガラス４２Ａの上面の双方に対して平行な方向（図２中の紙面垂直方向）である。
【００１９】
一体型光学走査ユニット４７は、また、ブラケット４８の下方側に配置されたガイドロッド４６によって副走査方向に移動自在に案内される。そして、その副走査方向の位置に応じて、一体型光学走査ユニット４７は、その上部でフラットベッドコンタクトガラス４１にスライド可能に当接する。これにより、第一読取ユニット４５は、フラットベッドコンタクトガラス４１に対向しているとき、ガイドロッド４６に沿って移動自在であるものの、ガイドロッド４６の軸回りの傾きを規制されてフラットベッドコンタクトガラス４１と平行な姿勢をとる。これとともに、フラットベッドコンタクトガラス４１に対する光軸方向の位置が決まる。このための具体的な構成及び第一ＤＦコンタクトガラス４２Ａと対向しているときの、同様の傾き規制や位置決めのための具体的な構成については後に詳述する。
【００２０】
この第一読取ユニット４５は、フラットベッドコンタクトガラス４１上の原稿シートの被読取面を主走査方向にライン走査するとともに副走査方向に移動することで、原稿シートの画像を読み取ることができる。また、第一読取ユニット４５は、第一ＤＦコンタクトガラス４２Ａ上を通過する原稿シートの画像を主走査方向にライン走査することで、原稿シートの画像を読み取ることができる。
【００２１】
画像読取部４の内部には、無端のループ状でその周方向の一箇所に第一読取ユニット４５のブラケット４８が固定されたタイミングベルトが設けられている。また、画像読取部４の内部には、タイミングベルトが弛みなく掛け渡された複数のタイミングプーリと、いずれか１つのタイミングプーリを回転駆動するモータ等が設けられている。
【００２２】
フラットベッドスキャナモードの読取動作を行う場合、第一読取ユニット４５は、ホームポジションから副走査方向一方側に移動しながら、例えば図２に実線で示す停止位置付近のホームポジションから同図中の右側に移動する。そして、その微小移動距離毎に一体型光学走査ユニット４７によるライン走査を実行して、フラットベッドコンタクトガラス４１上の原稿シートの被読取面（下面）の画像を読み取る。また、その読取動作が終了すると、第一読取ユニット４５は、再度ホームポジションに戻る。このフラットベッドスキャナモードにおける読取のために副操作方向に移動する範囲が第一位置に相当する。
【００２３】
ＤＦスキャナモードの読取動作を行う場合、第一読取ユニット４５は、図２に実線で示すホームポジション（第一ＤＦコンタクトガラス４２Ａの下方）で、第一ＤＦコンタクトガラス４２Ａ上を通過する原稿シートの被読取面（下面）の画像を読み取る。このＤＦスキャナモードおける停止位置が第二位置に相当する。
【００２４】
図示の複写機では、第一ＤＦコンタクトガラス４２Ａの搬送方向上流側に位置する読取入口ローラ対５２ｄのニップ位置から排出口５６に至るまでの搬送通路部分が、ＤＦコンタクトガラス４２Ａ，４２Ｂに沿って略直線状に延びるストレート搬送通路を構成している。ストレート搬送通路は、原稿トレイ５１から複数の搬送ローラ対５２ｃ，５２ｄによって搬送されてきた原稿シートを、第一ＤＦコンタクトガラス４２Ａの上面（第一読取位置）及び第二ＤＦコンタクトガラス４２Ｂの下面（第二読取位置）に沿って搬送する。
【００２５】
また、このストレート搬送通路６１は、手差しトレイ５ａから搬入される原稿シートを、第一ＤＦコンタクトガラス４２Ａの上面（第一読取位置）及び第二ＤＦコンタクトガラス４２Ｂの下面（第二読取位置）に沿って搬送する場合にも用いられる。さらに、図２中に仮想線で示すように開いた状態の手差しトレイ５ａ上にセットされる手差しの原稿シートや、閉じた状態の手差しトレイ５ａに形成されているカード挿入用の挿入口５ｂにセットされる手差しの原稿シートを、略直線状に、第一ＤＦコンタクトガラス４２Ａの上面（第一読取位置）及び第二ＤＦコンタクトガラス４２Ｂの下面（第二読取位置）に沿って搬送する場合にも用いられる。
【００２６】
上記挿入口５ｂから原稿としてのカードを挿入できる。カードは、通常の原稿シートＳよりも高い曲げ剛性を有するハードシート、特に小サイズのハードシートであり、上記ストレート搬送通路に沿って搬送される。ここにいう小サイズのハードシートとは、樹脂あるいは厚紙等で形成された標準定型サイズのカード類、例えば運転免許証、ＩＤカード（身分証明書カード）、銀行等のキャッシュカード、クレジットカード、交通系等の電子マネーカードなどが上げられる。このようなカードを搬送するのにストレート搬送通路は好適である。
【００２７】
図３は、一体型光学走査ユニット４７を、フラットベッドコンタクトガラス４１や第一ＤＦコンタクトガラス４２Ａに対し、平行な姿勢を取らせ、かつ、光軸方向の位置決めを行うための従来構成を示すものである。一体型光学走査ユニット４７の図中上面には例えば四隅に両ガラス４１，４２Ａの下面に当接するとともに、摺動するための突起状の摺動部１００が形成されている。この摺動部１００の数は長手方向両側合計で最低３箇所、望ましくは、長手方向両側それぞれ２箇所以上の合計４箇所以上である。図３（ａ）がフラットベッドコンタクトガラス４１に下面に当接している状態を示し、図３（ｂ）が第一ＤＦコンタクトガラス４２Ａの下面に当接した状態を示す。このように、従来は、フラットベッドコンタクトガラス４１と第一ＤＦコンタクトガラス４２Ａのそれぞれの下面に、共通の摺動部１００を当接させるという構成を採用していた。
【００２８】
なお、図３で、符号４３ａは画像読取部４の下フレーム、符号４３ｂは上フレームをそれぞれ示す。フラットベッドコンタクトガラス４１や第一ＤＦコンタクトガラス４２Ａは、上フレーム４３ｂに形成された窓部に嵌め込まれている。符号４８ｃは、一体型光学走査ユニット４７を保持するブラケット４８の下面に固設されている軸受４８ｃを示す。この軸受４８ｃは一体型光学走査ユニット４７の長手方向（紙面に垂直な方向）のほぼ中央に設けられ、これをガイドロッド４６が貫通している。図示の例では、ブラケット４８上で一体型光学走査ユニット４７をガラスに向けて付勢する圧縮コイルばね４９は長手方向の両端それぞれに２本づつ設けられている。ブラケット４８の長手方向両端それぞれには保持腕部４８ａが設けられ、これに形成されてている長孔４８ｂに一体型光学走査ユニット４７の長手方向の両測面に外側へ突出するように設けられた支持軸４７ａが挿通されている。
【００２９】
この従来の構成では、部品ばらつきなどに対処するための一体型光学走査ユニット４７の光軸方向の位置調整がしづらいなどの課題が残されていた。この位置調整が必要になる場面は、次の三つに大別される。第一は、部品精度や組み付け精度のばらつきによって製造過程の最終段階で位置調整が必要になる場面である。第二は、例えば、第一ＤＦコンタクトガラス４２Ａに対して原稿を、密着させて搬送しながら読み取る（接触搬送読取）か、空隙を開けて読み取る（非接触搬送読取）かを客先で変更する場合などのように、客先で一体型光学走査ユニット４７のに位置調整が必要になる場面である。第三に、例えば、上記接触搬送読取の機種と、上記非接触搬送読取の機種とで主たる部品を共通化し、それぞれの機種の製造段階で機種に適した光軸方向の位置に組み付ける場面である。
【００３０】
従来の構成では、第一の場面で、例えば、ガラスの厚みがばらついたり、摺動部の突出量がばらついたりすると、摺動部のガラス下面に対する突き当てで、そのばらつきが反映されたまま位置が決まってしまうので、そのままでは調整のしようがない。このため、ガラスを交換したり、摺動部を構成する部品を交換したりという手間が生じる。第二の場面では、第一ＤＦコンタクトガラスを、厚みの異なるガラスに変更して、原稿通過位置とガラス下面位置の距離を焦点距離にするといった、ガラス部品という比較的高額な部品の交換を伴う客先での位置調整になってしまう。第三の場面でも、第二の場面と同様に、それぞれの機種用の第一ＤＦコンタクトガラスを用意する必要があり、部品の共通化がその分できない。
【００３１】
また、従来の構成では、次の異音や振動の課題も残されている。すなわち、フラットベッドコンタクトガラス４１の下方と第一ＤＦコンタクトガラス４２Ａの下方との間で、一体型光学走査ユニット４７を移動する経路上で摺動部１００が突き当たる箇所に段差があると、その段差を追加するときに、異音や振動を発生させてしまうという課題である。
【００３２】
図３（ｃ）は、段差部の一例を示す説明図である。上フレーム４３ｂの下面とフラットベッドコンタクトガラス４１の下流端の下面との間の段差Ｘや、上フレーム４３ｂの下面と第一ＤＦコンタクトガラス４２Ａの上流端の下面との間の段差Ｙが、どうしても生じてしまう。この段差を通過するとに、次のような衝突によって異音や振動を発生させる虞がある。段差部で高い方から低い方に移行するとき（図３（ｃ）で左側に移動するとき）に、摺動部１００が低い方の表面に衝突する。逆に段差部が低い方から高い方に移行するとき（図３（ｃ）で右に移動するとき）に、摺動部１００が高い方の端面と衝突する。
【００３３】
また、自動原稿搬送装置でカードなど硬いものを読取る際には、読取対象をまっすぐに搬送させる構成をとる必要があり、図３（ｃ）に示すように、フラットベッドでスキャンするときのコンタクトガラス面に対してDFスキャン時のコンタクトガラス面がある角度を持って配置される。この角度部分を一体型光学走査ユニット４７が通過するときも、急な進行方向の変更で異音や振動が発生する虞がある。
【００３４】
そこで、本実施形態では、第一ＤＦコンタクトガラス４２Ａでの光軸方向の位置決めのために、摺動部１００とは別に位置決め用の位置決め部を設けるとともに、第一ＤＦコンタクトガラス４２Ａの箇所でこの位置決め部が当接する位置決め部材を設けた。
図４はその説明図、図５は分解斜視図である。本実施形態では、一体型光学走査ユニット４７の長手方向の両側面それぞれに２本づつ円柱状の被ガイドピン１１０が長手方向外側に突出するように設けられている。この被ガイドピン１１０が上記位置決め部として機能する。
【００３５】
そして、長手方向の両側面それぞれ２本の被ガイドピン１１０を第一ＤＦコンタクトガラス４２Ａに対して位置決めする部材として、長い方向両側それぞれにガイド板１２０が設けられている。このガイド板１２０は第一ＤＦコンタクトガラス４２Ａに対応する直線部１２０ａと、この直線部１２０ａにおけるフラットベッドコンタクトガラス４１側の端部に連なり、この直線部１２０ａに対し角度を持って傾斜してフラットベッドコンタクトガラス４１に向けて直線的に延びる傾斜部１２０ｂとを備えている（図５参照）。上記直線部１２０ａが上フレーム４３ｂの下面における第一ＤＦコンタクトガラス４２Ａが嵌め込まれた窓部の周縁部に例えば接着などで固定されている。上記傾斜部１２０ｂのフラットベッドコンタクトガラス４１の端部は図示の例ではフラットベッドコンタクトガラス４１の図中左側の端部よりも図中右側に位置する。そして、この傾斜部１２０ｂがフラットベッドコンタクトガラス４１と第一ＤＦコンタクトガラス４２Ａとの間の角度部分をまたぐような姿勢で、その図中右側の端部が上フレームに例えば接着などにより固定されている。なお、図５中、符号４７ｂは走査領域を示す。
【００３６】
図４（ａ）及び図４（ｃ）に示すようにフラットベッドコンタクトガラス４１から第一ＤＦコンタクトガラス４２Ａに向けて移動する（図中左側に移動する）とき、移動方向先端側の摺動部１００がフラットベッドコンタクトガラス４１下面を摺動している範囲（第一当接状態の範囲）で被ガイドピン１１０がガイド板１２０の傾斜部１２０ｂに下面に接触（第二当接状態）を開始（切り替わり）してガイドされはじめる。
【００３７】
図示の例では、図４（ｃ）で左側の摺動部材１００と左側の被ガイドピン１１０とが移動方向でほぼ同じ位置で、右側についても同様である。このため、上述のガイドのされ方になるよう、上記傾斜部１２０ｂのフラットベッドコンタクトガラス４１の端部がフラットベッドコンタクトガラス４１の図中左側の端部よりも図中右側に位置させている。摺動部材１００と被ガイドピン１１０との移動方向における位置関係によって、上記傾斜部１２０ｂのフラットベッドコンタクトガラス４１の端部の位置が決まる。
【００３８】
そして、この先端側の摺動部１００は傾斜部１２０ｂでガイドされつづけ、その後、直線部１２０ａにガイドされてＤＦスキャナモードにおける停止位置に到達してその停止位置に停止する。この移動の間、移動方向後端側の摺動部１００も同様にして傾斜部１２０ｂ及び直線部１２０ａにガイドされていく。
【００３９】
停止位置では、長手方向の両端部それぞれ２箇所、合計４箇所の被ガイドピン１１０とガイド板１２０の直線部１２０ａとの当接により、一体型光学走査ユニット４７の光軸方向の位置が決まるとともに第一ＤＦコンタクトガラス４２Ａに対する傾きが規定される。具体的にはガイド板１２０の直線部１２０ａの下面が第一ＤＦコンタクトガラス４２Ａに平行であれば、一体型光学走査ユニット４７が同ガラス４２Ａに平行になる。
【００４０】
本実施形態によれば、種々の場面で一体型光学走査ユニット４７の光軸方向の位置調整が可能である。製造過程の最終段階で、例えば、第一ＤＦコンタクトガラス４２Ａの厚みがばらついたり、被ガイドピン１１の径がばらついたりした結果、焦点が合わない場合は次のとおりである。ガイド板１２０の上フレーム４３ｂへの取り付けにあたって、例えば接着にあたってスペーサを介在させたり、互いに光軸方向の位置が異なる取り付け箇所をフレームに用意しておいて、取り付け箇所を変更したりして光軸方向の位置を調整することに可能である。互いに光軸方向の厚みが異なるガイド板１２０を用意しておいて使用するガイド板を選択することによって調整することも可能である。
【００４１】
また、客先で、接触搬送読取か、非接触搬送読取かを変更する場合、上記製造過程の最終段階の場合と同様にして位置調整が可能である。光軸方向の厚みが異なるガイド板１２０に交換する場合にも、第一ＤＦコンタクトガラス４２Ａを交換することなる従来の場合よりも低コスト化が可能である。接触搬送読取の機種と、非接触搬送読取の機種とで主たる部品を共通化し、それぞれの機種の製造段階で機種に適した光軸方向の位置に組み付ける場合も、上記製造過程の最終段階の場合と同様にして位置調整が可能であり、少なくもと、それぞれの機種用の第一ＤＦコンタクトガラスを用意する必要はない。
【００４２】
また、フラットベッドコンタクトガラス４１は、操作者が原稿を載せて上から力を加えることがあるため、ある程度の強度が必要でそれに応じて厚いガラスを使用する必要がある。これに比べ、第一ＤＦコンタクトガラス４２Ａは加わる外力が格段に小さいので、比較的薄いガラスを使用可能である。しかし、従来の構成では、共通の摺動部をそれぞれのガラスの下面に当接させて光軸方向の位置決めをしていたため、例えば、共にガラス上面に原稿を密着させて読み取る場合には同じ厚みのガラスを使用せざるを得なかった。これに対し、本実施形態では、第一ＤＦコンタクトガラス４２Ａでの光軸方向の位置決めは、摺動部１００とは別の位置決め部及びガイド部で行うので、摺動部１００を共通して用いることに伴うガラスの厚みに関する制約がなくなるという利点もある。
【００４３】
そして、図３（ｃ）に示すような段差Ｘ、Ｙや角度部には、摺動部１００が接触しないように被ガイドピン１１０がガイド板１２０でガイドされる。よって、段差などへの衝突による異音や振動を防止できる。なお、ガイド板１２０の直線部１２０ａと傾斜部１２０ｂとの間は角度をもっているため、このような角度をもたない場合よりは被ガイドピン１１０の案内にあって多少の振動を及ぼし得るが、この角度は、従来構造におけるフラットベッドコンタクトガラス４１と第一ＤＦコンタクトガラス４２Ａとの間の角度よりも小さく設定して、比較的小さな振動に抑えることが可能である。
【００４４】
図６は変形例の説明図である。この変形例の装置では、ガイド板１２０の光軸方向の位置を、装置外部であるフレーム外から調整可能にしている。一体型光学走査ユニット４７の長手方向（紙面に垂直な方向）の両側それぞれのガイド板１２０をリンク１２１、１２１により少なくとも光軸方向に移動可能に上フレーム４３ｂに取り付けている。そして、ガイド板１２０のフラットベッドコンタクトガラス４１とは反対側（図中左側）の端部に、頭部１２２ａが上フレーム４３ｂの外に位置し、軸部１２２ｂが上フレーム４３ｂに形成した上下に長い断面長孔状の貫通孔１６０を通る位置調整ピン１２２の先端を螺合により取り付けている。この位置調整ピン１２２を正逆回転させて回転位置を変更するとともに貫通孔１６０内での上下位置を変更することによってガイド板１２０を進退させるとともに光軸方向に変位させて光軸方向の位置を調整できる。なお、図中、符号１３０は第一ＤＦコンタクトガラス４２Ａ上に例えば貼付などで取り付けて非接触搬送に切り替えるための非接触搬送用シートである。読取用の開口１３０ａが形成されている。原稿はこのシート１３０の表面を擦りながら搬送される結果、第一ＤＦコンタクトガラス４２Ａの表面に原稿が接触することを防止できる。客先で接触搬送だったものを非接触搬送に切り替える場合に、このシートを取り付ける。このようなシートを用いるのに代え、第一ＤＦコンタクトガラス４２Ａに対向する原稿を経路を規定する搬送ガイド機構を調整することによって接触搬送と非接触搬送とを切り替えてもよい。
【００４５】
以上、本実施形態では、ガラスへのと当接と位置決め部材への当接とを、前者をフラットベッドコンタクトガラス４１に対して行い、後者を第一ＤＦコンタクトガラス４２Ａに対して行ったが、この逆の関係で光軸上の位置決めをおこなってもよい。
【符号の説明】
【００４６】
１        ：複写機
１Ｍ      ：装置本体
３        ：画像形成部
４        ：画像読取部
５        ：ＡＤＦ
５ａ      ：手差しトレイ
５ｂ      ：挿入口
６        ：読取装置
１１      ：被ガイドピン
４１      ：フラットベッドコンタクトガラス
４２Ａ    ：第一ＤＦコンタクトガラス
４２Ｂ    ：第二ＤＦコンタクトガラス
４３ａ    ：下フレーム
４３ｂ    ：上フレーム
４５      ：第一読取ユニット
４６      ：ガイドロッド
４７      ：一体型光学走査ユニット
４７ａ    ：支持軸
４８      ：ブラケット
４８ａ    ：保持腕部
４８ｂ    ：長孔
４８ｃ    ：軸受
４９      ：圧縮コイルばね
５１      ：原稿トレイ
５２      ：原稿搬送通路
５２ａ    ：ピックアップローラ
５２ｂ    ：分離ローラ
５２ｃ    ：プルアップローラ対
５２ｄ    ：読取入口ローラ対
５２ｅ    ：読取出口ローラ対
５２ｆ    ：排紙ローラ対
５３      ：排紙トレイ
５５      ：カバー
５５ａ    ：給紙口
５６      ：排出口
６１      ：ストレート搬送通路
１００    ：摺動部
１１０    ：被ガイドピン
１２０    ：ガイド板
１２０ａ  ：直線部
１２０ｂ  ：傾斜部
１２１    ：リンク
１２２    ：位置調整ピン
１２２ａ  ：頭部
１２２ｂ  ：軸部
１３０    ：シート
１３０ａ  ：開口
１６０    ：貫通孔
ＤＦ      ：第一
Ｓ        ：原稿シート
Ｘ        ：段差
Ｙ        ：段差
【先行技術文献】
【特許文献】
【００４７】
【特許文献１】特開２００６−１１５０３１号公報
【図１】
2019161381.tif 000003
【図２】
2019161381.tif 000004
【図３】
2019161381.tif 000005
【図４】
2019161381.tif 000006
【図５】
2019161381.tif 000007
【図６】
2019161381.tif 000008